(57)【特許請求の範囲】
【請求項１】
吸込口を有する吸込口体と、
吸気を発生させる電動送風機と、
前記吸込口体と前記電動送風機との間に設けられた吸気経路と、
前記吸気経路に配されるとともに吸気を旋回させて塵埃を分離して捕獲する第１集塵体と、
該第１集塵体に設けられた排気筒と、
前記第１集塵体と前記電動送風機との間に配され、前記排気筒を介して前記第１集塵体と連通する第２集塵体と、
該第２集塵体に設けられたフィルターと、
第１集塵体を着脱可能に格納する第１格納室と、
第２集塵体を着脱可能に格納するとともに第１格納室に連続して設けられた第２格納室とを備え、
前記第１集塵体は空気が流入する第１の流入口を備え、
前記第１の流入口は前記第１の集塵体の内壁面に沿って空気が流入するように設けられていることを特徴とする電気掃除機。
【請求項２】
前記第１集塵体は略円筒形であることを特徴とする請求項１に記載の電気掃除機。
【請求項３】
前記第１格納室に臨む前記第２格納室の開口部を前記第２集塵体により密閉したことを特徴とする請求項１又は請求項２に記載の電気掃除機。
【請求項４】
前記第１集塵体の装着によって前記第２集塵体を保持したことを特徴とする請求項１乃至請求項３のいずれかに記載の電気掃除機。
【請求項５】
前記第２集塵体の装着によって前記第１集塵体を装着できるようにしたことを特徴とする請求項１乃至請求項４のいずれかに記載の電気掃除機。
【請求項６】
前記第１集塵体及び前記第２集塵体の一方または両方の装着を検知することによって前記電動送風機が運転されるようにしたことを特徴とする請求項１乃至請求項５のいずれかに記載の電気掃除機。
【請求項７】
前記第２集塵体は、上方に形成されるとともに吸気が流入する第２の流入口と、背面に形成されるとともに吸気が流出する流出口と、前記流出口に面して配されるフィルターとを有することを特徴とする請求項１乃至請求項６のいずれかに記載の電気掃除機。
【発明の詳細な説明】
【０００１】
【発明の属する技術分野】
本発明は、吸気を旋回させて塵埃を分離するサイクロン式の集塵部を有する電気掃除機に関する。
【０００２】
【従来の技術】
サイクロン式の集塵部を有する従来の電気掃除機は特公平６−８５７５３号公報に開示されている。図９はこの電気掃除機を示す斜視図である。本体部１０１には、電動送風機（不図示）が内装され、床面に面して吸込口（不図示）が形成されている。本体部１０１の上部には、サイクロン集塵部１０３が前後方向に回動自在に支持されている。
【０００３】
サイクロン集塵部１０３の正面断面図を図１０に示す。また、図１０のＤ−Ｄ断面図を図１１に示す。これらの図によると、サイクロン集塵部１０３は円筒形の外サイクロン１１３の外側に吸気管１０４及び排気管１０５が一体に形成されている。外サイクロン１１３は透明の集塵部１１３ｂが上部の流入部１１３ｃに取り付けられて一体になっている。流入部１１３ｃには略接線方向に沿って吸気管１０４から吸気が流入する流入口１１３ａが設けられている。
【０００４】
吸気管１０４と排気管１０５との間にはパイプ１０６が配されている。パイプ１０６には使用者が把持する把持部１０７（図１参照）が取り付けられている。そして、把持部１０７の操作により、車輪１１１（図１参照）が床面上を回転して電気掃除機１００をスムーズに移動させることができるようになっている。
【０００５】
外サイクロン１１３の内部には円錐形の内サイクロン１１４が下方が細くなるように配されている。内サイクロン１１４の下端は開口されており、外サイクロン１１３と一体に形成される集塵容器１０９に連通されている。内サイクロン１１４の上端には環状の通路を有する排気部１１０が設けられている。
【０００６】
内サイクロン１１４の外側には連通路１０８が形成されている。連通路１０８及び排気部１１０により外サイクロン１１３と内サイクロン１１４とが連通している。また、排気部１１０の中央には排気管１０５に連通する排気口１１０ａが形成されている。
【０００７】
このような構成の電気掃除機１００は、電動送風機を駆動すると吸込口に吸引力が生じる。吸込口から吸気管１０４を通り、流入口１１３ａを介して矢印Ａ１に示す方向に外サイクロン１１３内に流入する吸気は、遠心力により外サイクロン１１３の内周壁に沿って旋回しながら下方に進行する。この時、吸気が外サイクロン１１３の内面に衝突して、大型のゴミ１１２ａを分離して外サイクロン１１３内に堆積させる。
【０００８】
その後、吸気は内サイクロン１１４の外周に沿って上昇して矢印Ａ２に示す方向に連通路１０８に流入し、排気部１１０を介して矢印Ａ３に示す方向に内サイクロン１１４に流入する。内サイクロン１１４内に流入する吸気は、遠心力により内サイクロン１１４の内周壁に沿って旋回しながら下方に進行する。この時、吸気が内サイクロン１１４の内面に衝突して、微細な塵埃１１２ｂを分離して集塵容器１０９内に堆積させる。
【０００９】
そして、塵埃等が除去された吸気は内サイクロン１１４の中央部を上昇して矢印Ａ４に示す方向に排気口１１０ａからサイクロン集塵部１０３の外部に放出される。その後、排気管１０５を通って電動送風機に至り電気掃除機１００の外部に排気される。これにより集塵が行われる。
【００１０】
また、集塵容器１０９と一体の集塵部１１３ｂを下方前方に引き抜くことにより、流入部１１３ｃと集塵部１１３ｂとの連結及び内サイクロン１１４と集塵容器１０９との連結が解除され、外サイクロン１１３及び集塵容器１０９に堆積したゴミ１１２ａや塵埃１１２ｂを廃棄できるようになっている。
【００１１】
【発明が解決しようとする課題】
しかしながら、上記の従来のサイクロン式の電気掃除機は、遠心力により塵埃を分離するため排気口１１０ａから塵埃が流出する場合がある。このため、塵埃が電動送風機内に侵入して電動送風機の故障が生じる問題や、室内に塵埃が放出されて環境を害する問題があった。
【００１２】
これに対して、特開昭６１−１７９１２５号公報には電動送風機の吸引側にフィルターを設けて集塵袋によって集塵できなかった塵埃を捕獲する電気掃除機が開示されている。従って、この電気掃除機と同様に電動送風機の吸引側にフィルターを設けてサイクロン集塵部から流出した塵埃を更に捕獲するサイクロン式の電気掃除機が考えられる。
【００１３】
しかしながら、電動送風機の吸引側にフィルターを配すると、フィルターの目詰まりが生じて清掃する際に本体部１０１を分解する必要があり、メンテナンスの手間がかかる問題がある。
【００１４】
本発明は、塵埃の捕獲能力を向上して環境を害さず故障防止を図るとともに、メンテナンスの容易なサイクロン式の集塵部を有する電気掃除機を提供することを目的とする。
【００１５】
【課題を解決するための手段】
上記目的を達成するために本発明は、吸込口を有する吸込口体と、吸気を発生させる電動送風機と、前記吸込口体と前記電動送風機との間に設けられた吸気経路と、前記吸気経路に配されるとともに吸気を旋回させて塵埃を分離して捕獲する第１集塵体と、該第１集塵体に設けられた排気筒と、前記第１集塵体と前記電動送風機との間に配され、前記排気筒を介して前記第１集塵体と連通する第２集塵体と、該第２集塵体に設けられたフィルターと、第１集塵体を着脱可能に格納する第１格納室と、第２集塵体を着脱可能に格納するとともに第１格納室に連続して設けられた第２格納室とを備え、前記第１集塵体は空気が流入する第１の流入口を備え、前記第１の流入口は前記第１の集塵体の内壁面に沿って空気が流入するように設けられていることを特徴とする。
上記構成の電気掃除機において、前記第１集塵体を略円筒形とするとよい。
【００１６】
この構成によると、電動送風機が駆動されると、吸込口から吸引された吸気が吸気経路に導かれる。吸気経路の経路途中には第１格納室に装着された第１集塵体が配されており、第１集塵体に流入した吸気は旋回流となって内周壁に衝突して塵埃が分離され、第１集塵体内に堆積する。第１集塵体から流出した吸気は第２格納室に装着された第２集塵体に流入してフィルター等により更に塵埃が捕獲される。そして、塵埃が除去された清浄な吸気が電動送風機に導かれて排出される。第１、第２格納室は連続して形成され、例えば第２集塵体は第１格納室内を通って第２格納室に装着される。
【００１７】
また本発明は、上記構成の電気掃除機において、第１格納室に臨む第２格納室の開口部を第２集塵体により密閉したことを特徴としている。この構成によると、第２集塵体は第１格納室に臨んで第２格納室に装着され、第２集塵体により第１格納室内と第２格納室内とが隔離される。
【００１８】
また本発明は、上記構成の電気掃除機において、第１集塵体の装着によって第２集塵体を保持したことを特徴としている。
【００１９】
また本発明は、上記構成の電気掃除機において、第２集塵体の装着によって第１集塵体を装着できるようにしたことを特徴としている。この構成によると、第２集塵体の脱着時には第１集塵体が装着できず、第２格納室に第２集塵体を装着した後、第１格納室に第１集塵体が装着される。
【００２０】
また本発明は、上記構成の電気掃除機において、第１、第２集塵体の一方または両方の装着を検知することによって前記電動送風機が運転されるようにしたことを特徴としている。この構成によると、例えば、第１集塵体または第２集塵体の脱着時には電動送風機を運転できず、両方を装着すると電動送風機が運転できる。
【００２１】
また本発明は、上記構成の電気掃除機において、第２集塵体は、上方に形成されるとともに吸気が流入する第２の流入口と、背面に形成されるとともに吸気が流出する流出口と、前記流出口に面して配されるフィルターとを有することを特徴としている。この構成によると、電動送風機により発生する吸気は上方の第２の流入口から第２集塵体内に流入し、下面に衝突して塵埃を分離する。そして、分離されなかった塵埃をフィルターにより捕獲した後、背面の流出口から流出する。
【００２４】
【発明の実施の形態】
以下に本発明の実施形態を図面を参照して説明する。図１、図２は第１実施形態のアップライト式の電機掃除機の外観斜視図及び側面断面図である。電機掃除機１０は、電動送風機２を内装した本体部１に、床に向かって開口した吸込口３ａを有する吸込口体３が所定の角度範囲で回動可能に取り付けられている。
【００２５】
本体部１には第１集塵体４及び第２集塵体７が着脱自在に装着されている。吸込口体３内には吸込口３ａに面して回転ブラシ１２が設けられている。また、本体部１の上部には使用者が把持する把持部１４が設けられており、把持部１４の操作によって電機掃除機１０が前後移動するようになっている。
【００２６】
第１、第２集塵体４、７を取り外した本体部１の要部の断面図及び正面図を図３、図４に示す。第１集塵体４は本体部１に形成された第１格納室１５に格納される。第２集塵体７は第１格納室１５に連続して背後に設けられた第２格納室１６に格納される。
【００２７】
第１格納室１５には本体流入口５が設けられ、本体流入口５と吸込口体３とが吸気管６で連結されている。本体流入口５の周囲にはゴム等の弾性体から成るシール５ａが設けられており、後述する第１集塵体４の流入口４１ａ（図５参照）の周囲に密接する。これにより、吸込口３ａから取り入れられた吸気が第１集塵体４に導かれる。
【００２８】
第１格納室１５の上部には連結排気口９が設けられる。連結排気口９の周囲にはゴム等の弾性体から成るシール９ａが設けられており、後述する第１集塵体４の排気部４２ａ（図５参照）の周囲に密接する。第２格納室１６の上部には連結吸気口１９が設けられる。連結排気口９と連結吸気口１９とは連結管８により連結されている。電動送風機２の吸込側は、第２格納室１６に設けられた本体排気口２０と排気管１８により連通される。
【００２９】
本体排気口２０の前面には複数の開口部２１ａを有するガード２１が配されている。ガード２１により後述するフィルター７２が本体排気口２０に落ち込むことを防止するようになっている。また、第２格納室１６の奥部上面にはリブ１６ａが突設されている。後述するように、リブ１６ａにより第２集塵体７の向きが一定に保持されるようになっている。また、ガード２１にはリブ１６ａを回避する凹部２１ｂが形成されている。
【００３０】
電動送風機２を駆動すると吸気流が発生し、排気管１８、第２集塵体７、連結管８、第１集塵体４及び吸気管６から成る吸気経路が負圧となる。そして、吸込口体３の吸込口３ａから床面の塵埃が空気とともに電動送風機２に吸引されようになっている。
【００３１】
図５は第１、第２集塵体４、７の詳細を示す断面図である。第１集塵体４の集塵室４１は略円筒形を成しており、空気流を内壁面に沿って流入させる流入口４１ａが形成されている。集塵室４１の上部は蓋４２の着脱により開閉できるようになっている。蓋４２の周囲にはゴム等の弾性体から成るシール４３が配され、集塵室４１の上部を密閉できるようになっている。
【００３２】
蓋４２の周縁の一部には凹部４２ｂが形成されている。集塵室４１の内壁には凹部４２ｂに対応する位置に凸部４１ｃが突設されている。これにより、蓋４２を集塵室４１へ取り付ける際に蓋４２の方向を一定にするようになっている。
【００３３】
蓋４２の略中央には排気部４２ａが設けられている。前述したように、排気部４２ａの上端はシール９ａ（図３参照）に密接して排気部４２ａが連結排気口９と連通するようになっている。排気部４２ａにはゴム等から成るシール４５を挟んで排気筒４４がネジ部４４ｂにより着脱可能に固定されている。
【００３４】
排気部４２ａの周面には把手４２ｃが突設されている。把手４２ｃを把持することにより蓋４２を容易に集塵室４１から取り外すことができるようになっている。排気部４２ａを排気筒４４と一体に設け、蓋４２にネジ部を形成して着脱自在に取り付けてもよい。
【００３５】
排気筒４４は円筒形状を成し、排気筒４４の内側と外側とを連通する排気口４４ａが周面に設けられる。排気口４４ａはメッシュ状に形成されている。排気筒４４の下端は、ネジ部４６ｄにより着脱可能に取り付けられた遮蔽部材４６により塞がれている。遮蔽部材４６は、略円形の円形部４６ａと、円形部４６ａの下方に形成されるリブ４６ｂとから成っている。
【００３６】
円形部４６ａの周縁には下方に突出した突出部４６ｃが形成されている。突出部４６ｃと集塵室４１の内壁との間には所定量の隙間が設けられている。リブ４６ｂは円形部４６ａの中心部より外周に向かう放射状に形成され、本実施形態では断面形状が十字形になっている。
【００３７】
集塵室４１の内壁には、内周面から集塵室４１の中心に向かってリブ４１ｂが突設されている。また、集塵室４１はネジ（不図示）によりカバー４７に固定されている。カバー４７は本体部１と外観上のデザインが統一されており、把持部４７ａ及び本体部１にはカバー４７を係離自在にロックするロック手段４８が設けられている。
【００３８】
ロック手段４８はバネ４８ａでロック子４８ｂを本体部１側に付勢しており、第１集塵体４を第１格納室１５に装着した際にロック子４８ｂがロック受け１ａ（図３参照）に係合する。カバー４７と集塵室４１とを一体に形成してもよい。また、カバー４７と集塵室４１は一部または全体を透明な部材により形成し、ゴミ捨て時期を示すライン表示を設けるとより利便性が向上する。
【００３９】
第２集塵体７の前面から見た斜視図及び背面から見た斜視図をそれぞれ図６、図７に示す。第２集塵体７はケース７１の内部に紙、不織布、多孔質体等から成るフィルター７２が配されている。ケース７１の前面は前面パネル７１ａにより遮蔽され、背面を開放して流出口７ｂが形成されている。
【００４０】
また、ケース７１の上面には吸気が流入する流入口７ａが形成されている。流入口７ａの周囲及び前面パネル７１ａの裏面にはゴム等の弾性体から成るパッキン７４、７５が配されている。ケース７１の内壁には複数のリブ７１ｄが形成され、フィルター７２を位置決めするとともに、フィルター７２と前面パネル７１ａとの間に空間７１ｈを形成するようになっている。
【００４１】
図５に示すように、第２集塵体７は第２格納室１６に装着されると流入口７ａが連結吸気口１９に対向する位置に配され、パッキン７４が連結吸気口１９の周囲に密着する。また、第１格納室１５に向かって開口された第２格納室１６の前面を前面パネル７１ａが覆い、開口部の周囲の第１格納室１５の内壁にパッキン７５が密着する。これにより、第１、第２格納室１５、１６が隔離されて連結管８を通る吸気が漏れなく第２集塵体７に導かれる。また、フィルター７２がガード２１に密着して流出口７ｂから本体排気口２０に吸気が流出されるようになっている。
【００４２】
前面パネル７１ａにはリブ７１ｃが突設され、第１集塵体４に当接するようになっている。従って、第１集塵体４を装着することによって第２集塵体７が保持されて位置ずれを生じないようになっている。前面パネル７１ａには２箇所の凹部７１ｇにより把持部７１ｆが形成されている。凹部７１ｇに手指を挿入して把持部７１ｆを把持することによって第２集塵体７を第２格納室１６から容易に脱着できるようになっている。
【００４３】
また、把持部７１ｆは凹部７１ｇにより形成されるので、手指で把持できるだけの奥行きが必要な把持部７１ｆを第１格納室１５に突出させずに形成することができる。このため、第１格納室１５の内壁を第１集塵体４に接近して設けることができ、本体部１（図１参照）の奥行きの増大を防止できる。
【００４４】
また、前面パネル７１ａの上部には向きを示す「ＵＰ」の文字が形成されている。ケース７１の下端にはリブ７１ｅが形成されている。従って、使用者は「ＵＰ」の文字により第２集塵体７を所定の向きに装着できる。「ＵＰ」の文字に替えて矢印等の記号を形成してもよい。
【００４５】
また、第２集塵体７の上下の向きを誤って装着しようとした場合には、リブ７１ｅが第２格納室１６のリブ１６ａに当接して装着できないようになっている。これにより、第２集塵体７が第１格納室１５に突出して第１集塵体４も装着することができない。従って、常に所定の向きに第２集塵体７が装着され、連結管８を通る吸気が確実に第２集塵体７に導かれて排気管１８に排気される。
【００４６】
第１格納室１５の下方には、一端の先端部３１ａが第１格納室１５に突出したレバー３１が支持部３１ｂを支点に回動自在に配されている。レバー３１の他端は下方に付勢されており、連結部材３３が回動自在に連結されている。第２格納室１６の下方には、一端の先端部３２ａが第２格納室１６に突出したレバー３２が支持部３２ｂを支点に回動自在に配されている。レバー３２の他端には連結部材３３が回動自在に連結されている。
【００４７】
第２集塵体７の脱着時にはレバー３１のＬ字型の先端部３１ａが第１格納室１５内に突出している。従って、第１集塵体４を装着しようとしても、先端部３１ａに当接して装着できない。第２集塵体７を第２格納室１６に装着すると、レバー３２の先端部３２ａが第２集塵体７のリブ７１ｅに当接し、付勢力に抗してレバー３２が時計回りに回動する。これにより、レバー３１が反時計回りに回動して先端部３１ａが退避し、第１集塵体４を装着できるようになっている。従って、第２集塵体７を装着するのを忘れて掃除作業を行うことを防止することができる。
【００４８】
上記構成のアップライト式の電気掃除機１０において、電動送風機２が駆動されると、吸込口体３の吸込口３ａから塵埃を含んだ空気流が吸気管６及び本体流入口５を介して流入口４１ａから第１集塵体４の集塵室４１内に流入する。空気流は集塵室４１の内壁に沿って流入し、集塵室４１内で旋回する。
【００４９】
集塵室４１内で旋回する空気流の遠心力によって塵埃は外周方向、即ち集塵室４１の内壁方向に押しやられる。突出部４６ｃと集塵室４１の内壁との間の隙間を通過できない大きなゴミ等は分離されて円形部４６ａの上方に堆積する。流入口４１ａから流入した旋回流は流速が大きいため排気筒４４よりも外側を旋回する。これにより塵埃を含んだ空気流が直接排気されず排気口４４ａの目詰まりが抑制される。
【００５０】
旋回流は、突出部４６ｃと集塵室４１の内壁との間の隙間から円形部４６ａよりも下方に流入する。そして、集塵室４１の内壁及びリブ４６ｂと衝突して塵埃が分離される。また、リブ４６ａよりも外周を旋回する旋回流は集塵室４１の内壁に設けられたリブ４１ｂと衝突して塵埃が分離されるとともに、塵埃が旋回するのを防止する。これらにより、集塵室４１の底部に塵埃が堆積される。
【００５１】
また、リブ４６ｂとの衝突によって流速が低下しながら下降する旋回流は集塵室４１の底面に到達し、集塵室４１の略中央部を上昇する。この時、集塵室４１の底部に堆積した塵埃を空気流が再度含む場合があるが、上昇によって円形部４６ａに衝突して塵埃が除去される。
【００５２】
その後、円形部４６ａの下面に沿って外周方向に進行し、突出部４６ｃに衝突して下方に進行する。これにより、塵埃が円形部４６ａよりも上方へ侵入することが防止される。そして、突出部４６ｃの外側を通って塵埃を除去された空気が排気筒４４の排気口４４ａから排出される。
【００５３】
排出された吸気は、排気部４２ａ、連結排気口９、連結管８、連結吸気口１９及び流入口７ａを介して第２集塵体７に流入する。該吸気には第１集塵体４により捕獲されなかった塵埃が含まれており、第２集塵体７の下方に向かって流入するため、ケース７１の下面に衝突して塵埃を分離する。更に、分離されなかった塵埃をフィルター７２により捕獲して、清浄化された吸気が本体排気口２０及び排気管１８を介して電動送風機２に導かれる。
【００５４】
これにより、サイクロン式の第１集塵体４により捕獲されない細かい塵埃が確実に捕獲され、清浄化された吸気が電動送風機２を通って排気される。従って、周囲環境を害することがないとともに、電動送風機２内への塵埃の侵入を防止して故障を防止することができる。
【００５５】
第１集塵体４の集塵室４１に堆積した塵埃を廃棄する際には、ロック子４８ｂをバネ４８ａの付勢力に抗して押し下げ、ロック受け１ａとの係合を解除する。そして、把持部４７ａを把持して第１集塵体４が本体部１から取り外される。その後、廃棄場所へ第１集塵体４を移動して、排気筒４４及び遮蔽部材４６と一体となった蓋４２を排気部４２ａの把手４２ｃを把持して取り外すことにより塵埃を廃棄する。
【００５６】
これにより、集塵室４１内の塵埃を容易に廃棄することができる。そして、第１集塵体４を持ち運ぶ際に蓋４２により集塵室４１の上部の大部分が閉じられているので堆積した塵埃が外部へ放出されず周囲環境や使用者の手指等の衛生を害することを抑制できる。また、蓋４２、排気筒４４及び遮蔽部材４６はそれぞれ分割することができ、ブラシ掃除や水洗いによる清掃を容易に行うことができる。
【００５７】
第２集塵体７のケース７１に堆積した塵埃を廃棄する際には、把持部７１ｆを把持して第２集塵体７を脱着し、フィルター７２を取り外して塵埃を廃棄するとともにフィルター７２を清掃する。塵埃の廃棄及び清掃が完了すると、第２集塵体７のパッキン７５が第１格納室１５の内壁に当接するまで第２格納室１６に押し込んで第２集塵体７を装着する。これにより、パッキン７４が連結吸気口１９の周囲に密着する。
【００５８】
そして、第１集塵体４の排気筒４４、遮蔽部材４６及び蓋４２を一体に組み立て、凹部４２ｂと凸部４１ｃとを係合させて蓋４２を集塵室４１に取り付ける。これにより、蓋４２はシール４３により集塵室４１の上部を密閉し、排気部４２ａの方向が一定に決められる。
【００５９】
第１集塵体４を第１格納室１５に装着すると、ロック手段４８のロック子４８ｂはバネ４８ａの付勢力により本体部１のロック受け１ａに係合して第１集塵体４を本体部１に保持する。そして、本体流入口５に集塵室４１の流入口４１ａがシール５ａを介して密着するとともに、排気部４２ａの端面が連結排気口９にシール７ａを介して密着して吸気経路が形成される。
【００６０】
本実施形態によると、第２集塵体７を第１格納室１５に連続した第２格納室１６に配することによって、第１格納室１５を通じて、簡単に第２集塵体７を着脱することができる。従って、塵埃の廃棄や清掃作業等のメンテナンスを容易に行うことができる。
【００６１】
尚、第１、第２集塵体４、７をネジ等により一体化した後、第１、第２格納室１５、１６に格納してもよい。また、第１集塵体４の集塵容器４１と第２集塵体７のケース７１とを一体成形により形成してもよい。このようにすると、塵埃の廃棄時や清掃時に同時に着脱することができ、よりメンテナンス性を向上することができる。
【００６２】
次に、図８は、第２実施形態の電気掃除機の第１、第２集塵体４、７を示す断面図である。説明の便宜上、前述の図１〜図７の第１実施形態と同一の部分には同一の符号を付している。第１実施形態と異なる点は、レバー３１、３２に替えて第１、第２集塵体４、７の着脱を検知する検知スイッチ３５、３６を設けている点である。その他の構成は第１実施形態を同様である。
【００６３】
検知スイッチ３５、３６は、第１、第２格納室１５、１６の下方にそれぞれ配されて、検知部３５ａ、３６ａが第１、第２格納室１５、１６内に突出している。検知スイッチ３５、３６の一方または両方がＯＦＦの際には、電気掃除機１０の起動を指示しても電動送風機２の運転が開始されないようになっている。
【００６４】
第１、第２集塵体４、７が第１、第２格納室１５、１６に装着されると、第１集塵体４の底面及び第２集塵体７のリブ７１ｅが検知部３５ａ、３６ａを押圧する。これにより、検知スイッチ３５、３６がＯＮとなり、電動送風機２の運転が開始可能となる。従って、第１、第２集塵体４、７の装着を忘れて掃除作業を行うことを防止することができる。尚、第１実施形態の電気掃除機に検知スイッチを設けてもよい。この場合、検知スイッチ３５のみを設けるだけ第１、第２集塵体４、７の装着を検知することができる。
【００６５】
【発明の効果】
本発明によると、サイクロン式の第１集塵体により捕獲されない細かい塵埃をフィルター等を有する第２集塵体により確実に捕獲され、清浄化された吸気が電動送風機を通って排気される。従って、周囲環境を害することがないとともに、電動送風機内への塵埃の侵入を防止して故障を防止することができる。また、第２集塵体を第１格納室に連続した第２格納室に配することによって、第１格納室を通じて、簡単に第２集塵体を着脱することができる。従って、塵埃の廃棄作業や清掃作業等のメンテナンスを容易に行うことができる。
【００６６】
また本発明によると、第１格納室に臨む第２格納室の開口部を第２集塵体により密閉することにより、第１格納室と吸気経路とを隔離し、第１集塵体から流出した吸気を漏れなく第２集塵体を介して排気することができる。
【００６７】
また本発明によると、第１集塵体の装着によって第２集塵体を保持するので、簡単に第２集塵体の位置ずれを防止して塵埃を捕獲することができる。
【００６８】
また本発明によると、第２集塵体の脱着時に第１集塵体を装着できないので、第２集塵体を装着するのを忘れて掃除作業を行うことを防止することができる。
【００６９】
また本発明によると、第１集塵体または第２集塵体の装着を検知して電動送風機が運転されるので、第１、第２集塵体を装着するのを忘れて掃除作業を行うことを防止することができる。
【００７０】
また本発明によると、第２集塵体の上方から吸気が流入して背面から流出するので、上方から流入した吸気が第２集塵体の下面に衝突して塵埃を分離される。そして、分離されなかった塵埃がフィルターにより捕獲される。これにより、効率良く塵埃を捕獲して吸気を清浄化することができる。
【００７１】
また本発明によると、第２集塵体の外周面に凹設された凹部によって第２集塵体を把持できるようにしているので、第２集塵体を第２格納室から容易に脱着できる。また、手指で把持できるだけの奥行きが必要な把持部分が第１格納室に突出せず、第１格納室の内壁を第１集塵体に接近して設けることができるので本体部の奥行きの増大を防止できる。
【００７２】
また本発明によると、第１、第２集塵体を一体にしているので、塵埃の廃棄時や清掃時に同時に着脱することができ、よりメンテナンス性を向上することができる。
【図面の簡単な説明】
【図１】    本発明の第１実施形態の電気掃除機を示す外観斜視図である。
【図２】    本発明の第１実施形態の電気掃除機を示す側面断面図である。
【図３】    本発明の第１実施形態の電気掃除機の第１、第２集塵体を取り外した状態の第１、第２格納室を示す側面断面図である。
【図４】    本発明の第１実施形態の電気掃除機の第１、第２集塵体を取り外した状態の第１、第２格納室を示す正面図である。
【図５】    本発明の第１実施形態の電気掃除機の第１、第２集塵体を示す側面断面図である。
【図６】    本発明の第１実施形態の電気掃除機の第２集塵体を前面から見た斜視図である。
【図７】    本発明の第１実施形態の電気掃除機の第２集塵体を背面から見た斜視図である。
【図８】    本発明の第２実施形態の電気掃除機の第１、第２集塵体を示す側面断面図である。
【図９】    従来の電気掃除機を示す外観斜視図である。
【図１０】  従来の電気掃除機のサイクロン集塵部を示す正面断面図である。
【図１１】  図１０のＤ−Ｄ断面図である。
【符号の説明】
１、１０１  本体部
２    電動送風機
３    吸込口体
４    第１集塵体
５    本体吸気口
６    吸気管
７    第２集塵体
９    連結排気口
１０    電気掃除機
１８    排気管
１９    連結流入口
２０    本体排気口
４１    集塵室
４１ａ  流入口
４１ｂ  リブ
４２    蓋
４４    排気筒
４４ａ  排気口
４６    遮蔽部材
４６ａ  円形部
４６ｂ  リブ
４６ｃ  突出部
４８    ロック手段
７１    ケース
７２    フィルター
７４、７５  パッキン
１０３    サイクロン集塵部
１０９    集塵容器
１１３    外サイクロン
１１４    内サイクロン
【図１】
0003667219.tif 000002
【図２】
0003667219.tif 000003
【図３】
0003667219.tif 000004
【図４】
0003667219.tif 000005
【図５】
0003667219.tif 000006
【図６】
0003667219.tif 000007
【図７】
0003667219.tif 000008
【図８】
0003667219.tif 000009
【図９】
0003667219.tif 000010
【図１０】
0003667219.tif 000011
【図１１】
0003667219.tif 000012